(57)【要約】【課題】  小径木から柔らかい雑草等まで刈り取れる刈払機用刈刃を提供すること。【解決手段】  円盤状の台金２の外周縁に複数の刃部３を形成し、この刃部３を、浅い刃底４で、周方向に短いピッチｐ１で連続する複数のチップ刃５と、この連続する複数のチップ刃５の間に位置し、周方向に長いピッチｐ２で深い刃底６に刃７を形成した研磨刃８とで構成する。【選択図】  図１
2007082503.tif 000002
【特許請求の範囲】
【請求項１】
円盤状の台金の外周縁に複数の刃部を形成し、
該刃部を、浅い刃底で、周方向に短いピッチで連続する複数のチップ刃と、
該連続する複数のチップ刃の間に位置し、周方向に長いピッチで深い刃底に刃を形成した研磨刃とで構成した刈払機用刈刃。
【請求項２】
前記連続する複数のチップ刃と、該複数のチップ刃の間に位置する研磨刃とを、台金の外周縁に等間隔で配置したことを特徴とする請求項１記載の刈払機用刈刃。
【請求項３】
前記連続するチップ刃の数に対する研磨刃の数を、３対１から５対１の範囲に設定したことを特徴とする請求項１又は請求項２記載の刈払機用刈刃。
【発明の詳細な説明】
【技術分野】
【０００１】
本発明は、山林下刈時における小径木や潅木を含む雑草の刈払いや、草刈時におけるすすきや雑草の刈払いに用いる刈払機用刈刃に関する。
【背景技術】
【０００２】
従来より、小径木や潅木を含む雑草を刈る山林下刈や、細い立木や笹、すすき等を刈る草刈、畦草や雑草等を刈る草刈には、刈刃（チップソー）が設けられたエンジン式刈払機が一般的に使用されている。一般的な刈払機は、内部に回転軸が支持された長尺の操作杆を有し、この操作杆の後端に駆動エンジンを備え、先端に刈刃が取付けられている。このような刈払機は、作業者が肩に掛け、刈刃を数千回転で回転させて操作杆を左右に移動させることにより、回転する刈刃で前記小径木や雑草等の刈払い操作を行う。刈刃は、操作杆の内部に設けられた回転軸によって回転駆動され、種々の刈刃に交換できるように構成されている。この刈払機に使用される刈刃としては、円盤状の台金の外周縁に複数の切断刃を形成したものが一般的に使用されている。
【０００３】
一方、前記したように、刈る対象物には種々の物があるため、刈払機に取付ける刈刃としては、刈る対象物の主たる種類に応じて刈刃を選択している。一般的に、前記山林下刈には刃数が多い刈刃が用いられ、前記草刈には刃数が少ない刈刃が用いられている。これは、小径木や硬い草等は、刃のピッチが長い少ない刃で刈ろうとすると刃の間に小径木等を噛み込んで刈り難いので、刃のピッチが短い多くの刃で少しずつ切った方が１刃当りの負荷が少なく効率的に刈払い作業を行うことができる、という考えに基づき、畦草のように柔らかい草は、刃のピッチが短い多くの刃で刈ろうとすると草が刈刃から逃げて刈り難いので、刃のピッチが長い少ない刃で刃の間に草が入り易いようにすれば効率良く刈払い作業を行うことができる、という考えに基いている。このように、刈払機用刈刃は用途に応じて使い分けなければ効率を悪化させるため、一般的に、前記したように刈る対象物に応じて好ましい刃数の刈刃が用いられている。
【０００４】
この種の刈刃に関する従来技術として、例えば、作業面にある小石などの障害物によって超硬チップが破損することを防止するために、台金の外周縁に形成する多数の歯形を、通常歯形と、超硬チップの後方に、この超硬チップ先端の回転軌跡よりも外方に突出するガード突起を設けたガード歯形とで構成するようにしたものがある（例えば、特許文献１参照。）。しかし、この特許文献１は、小径木等から柔らかい雑草等まで刈ることができるものではない。
【特許文献１】特開２００１−１２８５３０号公報（第２−３頁、図１）
【発明の開示】
【発明が解決しようとする課題】
【０００５】
ところで、刈払機によって刈る対象物には前記したように種々の対象物があるが、これらは必ずしもまとまって群生しているとは限らない。例えば、同種の対象物がある程度はまとまった範囲に群生しているとしても、小径木や灌木が多い場所でも雑草は生えており、雑草が多い場所でも小径木が生えている場所もある。しかも、小径木や灌木が多い場所からすすき等の多い場所、雑草のみの場所へと連続的に刈りたい場合もある。また、小径木の多い場所を刈った後、雑草のみの場所を刈り、その後、小径木の多い場所へと連続的に刈りたい場合もある。
【０００６】
しかしながら、前記したように、刈刃は、その刈る対象物に応じて好ましい刃数等があるため、前記したように刈る対象物が変化する場合には、例えば、小径木等が多い場所では刃数の多い刈刃を用いて刈払い作業を行い、雑草のみ場所に移る前に刃数の少ない刈刃に取り換えて雑草等の刈払い作業を行い、また小径木等の多い場所に戻る前に刃数の多い刈刃に取り換えてから小径木等の刈払い作業を行う、というような煩雑な作業を行わなければならない場合がある。
【０００７】
そして、このように複数回の刈刃の交換を行う場合、その作業に時間と労力を要するので、作業効率を低下させてしまう。その上、刈る場所によっては足場が悪い等の理由でその場で刈刃の交換ができない場合もあり、刈刃の交換ができる場所への移動等にも時間と労力を要する場合もある。そのため、種々の対象物が群生している場所で刈払い作業を行う場合、作業性を大幅に悪化させてしまうことがある。
【０００８】
そこで、本発明は、小径木等から柔らかい雑草等まで刈ることができる刈払機用刈刃を提供することを目的とする。
【課題を解決するための手段】
【０００９】
前記目的を達成するために、本発明は、円盤状の台金の外周縁に複数の刃部を形成し、該刃部を、浅い刃底で、周方向に短いピッチで連続する複数のチップ刃と、該連続する複数のチップ刃の間に位置し、周方向に長いピッチで深い刃底に刃を形成した研磨刃とで構成している。これにより、小径木等は連続する複数のチップ刃で効率良く刈ることができ、雑草等は連続するチップ刃の間に位置する長いピッチの深い刃底に形成された研磨刃に絡めて効率良く刈ることができる。
【００１０】
また、前記連続する複数のチップ刃と、該複数のチップ刃の間に位置する研磨刃とを、台金の外周縁に均等間隔で配置すれば、小径木等の刈払い時の感覚を一定にすることができる。
【００１１】
さらに、前記連続する複数のチップ刃の数に対する研磨刃の数を、３対１から５対１の範囲に設定すれば、連続するチップ刃の間の深い刃底に形成した研磨刃が小径木を刈払う時に噛み込むのを効果的に抑止しつつ、この研磨刃で柔らかい草等を効率良く刈ることができる。
【発明の効果】
【００１２】
本発明は、以上説明したような手段により、小径木から柔らかい雑草等まで、効率良く刈れる刈刃を提供することが可能となる。
【発明を実施するための最良の形態】
【００１３】
以下、本発明の一実施形態を図面に基づいて説明する。図１は、本発明の一実施形態を示す刈払機用刈刃の正面図であり、図２は、図１に示す刈払機用刈刃の一部の刃部を示す拡大斜視図である。
【００１４】
図１に示すように、刈払機用刈刃１は、円盤状の台金２の外周縁に複数の刃部３が形成されている。そして、この刃部３が、浅い刃底４で周方向に所定の短いピッチｐ１で連続する複数のチップ刃５と、この連続する複数のチップ刃５の間に位置し、周方向に所定の長いピッチｐ２で、深い刃底６に刃７を形成した研磨刃８とで構成されている。図中の矢印は、刈払機用刈刃１の回転方向を示しており、中央の取付穴１０で刈払機に取付けられる。
【００１５】
前記チップ刃５は、図では４枚が連続するように設けられている。このチップ刃５の間は浅い刃底４で形成され、回転方向前側にチップ９が埋め込まれている。これらチップ刃５は、短いピッチｐ１で設けられている。そして、この連続する複数のチップ刃５の間に設けられた前記研磨刃８は、深い刃底６に刃７が形成されたものである（図２）。この刃７は、深い刃底６の回転方向後側に形成されており、研磨刃８の回転方向後側に位置するチップ刃５の台金部分にかけて形成されている。この例では、研磨刃８の長いピッチｐ２を、前記チップ刃５の２枚分のピッチｐ１としている。
【００１６】
さらに、この例では、これら連続するチップ刃５と研磨刃８とが、台金２の外周縁に等間隔で配置されている。図示する例では、短いピッチｐ１で設けられた４枚のチップ刃５と、このチップ刃５の２枚分の長いピッチｐ２で設けられた研磨刃８とが、台金２の外周縁を１２等分した等間隔で配置されている。このようにチップ刃５と研磨刃８とを等間隔で配置することにより、小径木等を刈るときに長いピッチｐ２の部分が小径木等を通過する周期が一定となって、操作感を一定にすることができる。
【００１７】
また、この実施の形態では、前記したように４枚のチップ刃５と１枚の研磨刃８とによって４対１の数でチップ刃５と研磨刃８とを配置することにより、小径木等は連続する複数のチップ刃５で効率良く刈ることができ、雑草等は深い刃底６の研磨刃８に絡ませて効率良く刈ることができる刈払機用刈刃１を構成している。この連続するチップ刃５と研磨刃８とを設ける数としては、同一刃数の刈払機用刈刃１であれば、連続するチップ刃５を少なくして研磨刃８を多くすると柔らかい雑草等を刈りやすい刈刃となり、連続するチップ刃５を多くして研磨刃８を少なくすると小径木等を刈りやすい刈刃となるが、３対１から５対１であれば同様の作用効果を得ることができる。
【００１８】
図３は、図１に示す刈払機用刈刃の使用状態を示す平面図である。図示するように、前記刈払機用刈刃１は、中央の取付穴１０で刈払機に設けられた操作杆１１の先端に取付けられる。この刈払機用刈刃１は、前記したように操作杆１１の内部に設けられた回転軸（図示省略）により、矢印の方向に回転駆動されるように構成されている。
【００１９】
このように設けられた刈払機用刈刃１によれば、台金２の外周縁に形成された短いピッチで連続する複数のチップ刃５により、小径木ｔ等に大きく噛み込むことなく、これら小径木ｔを効率良く刈ることができる。また、前記したように連続する複数のチップ刃５の間に設けられた深い刃底６の研磨刃８により、雑草等の柔らかい草ｗはこの深い刃底６に絡ませて研磨刃８で効率良く刈ることができる。このように、短いピッチｐ１で連続する複数のチップ刃５の間に長いピッチｐ２で深い刃底６に形成した研磨刃８を設けることにより、チップ刃５では硬い小径木ｔ等を、研磨刃８では柔らかい雑草ｗ等をそれぞれ分担して刈るようにし、これら小径木と雑草との中間に位置するような硬さの笹やすすき等は、チップ刃５と研磨刃８とによって効率良く刈ることができるようにしている。
【００２０】
以上のように、連続する複数のチップ刃５と、この連続する複数のチップ刃５と次の連続する複数のチップ刃５との間に設けられた研磨刃８とを、それぞれ刈る対象物に応じて好ましい配置と個数で設けることにより、１枚の刈払機用刈刃１によって山林下刈や草刈という異なる作業を効率良く行うことができるようにして、１枚の刈払機用刈刃１の用途範囲を広げている。
【００２１】
しかも、１枚の刈払機用刈刃１で刈れる用途を広げることにより、作業によっては刈刃の交換時間や移動時間等を大幅に削減することができるので、大幅な作業時間の短縮と労力の軽減を図ることができる。
【００２２】
なお、前記実施形態では、４枚のチップ刃５の間に１枚の研磨刃８を設け、この研磨刃８を台金２の周囲に１２枚設けているが、この研磨刃８の数は前記実施の形態に限定されるものではない。また、前記実施形態では、複数枚のチップ刃５と研磨刃８とを台金２の外周縁に等間隔で配置しているが、この配置も一例であり、取付穴１０を中心とした対向位置に研磨刃８を設けるような構成であってもよく、この実施形態に限定されるものではない。
【００２３】
さらに、前述した実施形態は一例を示しており、本発明の要旨を損なわない範囲での種々の変更は可能であり、本発明は前述した実施形態に限定されるものではない。
【産業上の利用可能性】
【００２４】
本発明に係る刈払機用刈刃は、硬い小径木等を含む山林下刈や、すすきや畦草、雑草等の柔らかい草刈を含む刈払い作業を行う刈払機において利用できる。
【図面の簡単な説明】
【００２５】
【図１】本発明の一実施形態を示す刈払機用刈刃の正面図である。
【図２】図１に示す刈払機用刈刃の一部の刃部を示す拡大斜視図である。
【図３】図１に示す刈払機用刈刃の使用状態を示す平面図である。
【符号の説明】
【００２６】
１…刈払機用刈刃
２…台金
３…刃部
４…浅い刃底
５…チップ刃
６…深い刃底
７…刃
８…研磨刃
９…チップ
１０…取付穴
１１…操作杆
ｔ…小径木
ｗ…草
ｐ１…短いピッチ
ｐ２…長いピッチ
【図１】
2007082503.tif 000003
【図２】
2007082503.tif 000004
【図３】
2007082503.tif 000005